(57)【要約】【課題】乗員の関心のある広告の配信を要求する。【解決手段】マイク１３にて車内の音を集音し、集音された音に対して音声認識装置１２により音声認識処理を行う。メモリ１０ａには、複数のキーワードと広告主を特定するための広告主コードとが対応付けて記憶されており、処理部１０ｂにて、音声認識処理により認識された語彙と、メモリ１０ａに記憶されているキーワードとが一致するか否かの判定処理を行う。処理部１０ｂにて認識語彙と一致すると判定されたキーワードに対応する広告主コードをメモリ１０ａから抽出し、車両が路側システムの通信エリア内に入ると、抽出した広告主コードを少なくとも送信して、広告主コードに対応する広告の配信要求を出す。【選択図】図３
2004226070.tif 000002
【特許請求の範囲】
【請求項１】
路側システムとの間で通信を行う通信手段と、
複数のキーワードと広告主を特定するための情報（以下、広告主特定情報と呼ぶ）とを対応付けて記憶する記憶手段と、
車内の音を集音する集音手段と、
前記集音手段により集音された音に対して音声認識処理を行う音声認識手段と、
前記音声認識手段により認識された語彙が、前記記憶手段により記憶されているキーワードと一致するか否かを判定する判定手段と、
前記判定手段により前記認識語彙と一致すると判定されたキーワードに対応する広告主特定情報を前記記憶手段から抽出する抽出手段とを備え、
前記通信手段は、車両が前記路側システムの通信エリア内に入ると、少なくとも前記抽出手段により抽出された広告主特定情報を前記路側システムに送信し、前記広告主特定情報により特定される広告主の広告配信を要求することを特徴とする車両用情報取得装置。
【請求項２】
請求項１に記載の車両用情報取得装置において、
前記通信手段は、車両用情報取得装置の電源がオンされてから所定時間が経過する前に前記抽出手段により抽出された広告主特定情報を送信することを特徴とする車両用情報取得装置。
【請求項３】
路側システムとの間で通信を行う通信手段と、
複数のキーワードを記憶する記憶手段と、
車内の音を集音する集音手段と、
前記集音手段により集音された音に対して音声認識処理を行う音声認識手段と、
前記音声認識手段により認識された語彙が、前記記憶手段により記憶されているキーワードと一致するか否かを判定する判定手段とを備え、
前記通信手段は、車両が前記路側システムの通信エリア内に入ると、少なくとも前記判定手段により前記認識語彙と一致すると判定されたキーワードを特定する情報を前記路側システムに送信し、前記情報により特定されるキーワードと対応する広告主の広告配信を要求することを特徴とする車両用情報取得装置。
【請求項４】
車両と路側システムとの間で様々な情報のやり取りを行う路車間通信システムにおいて、
車両の乗員が発する言葉に基づいた広告の配信要求を車両から前記路側システムに送信し、
前記配信要求のあった広告のうち、前記路側システム内のサーバに格納されている広告を前記路側システムから車両に送信することを特徴とする路車間通信システム。
【発明の詳細な説明】
【０００１】
【発明の属する技術分野】
本発明は、路車間通信システム、および、路車間通信システムを利用して、車内の表示装置に表示するための情報を取得する車両用情報取得装置に関する。
【０００２】
【従来の技術】
路車間通信システムを利用して、広告を表示するための表示器を備えた車両に広告を配信するシステムが知られている（特許文献１参照）。このシステムでは、広告表示車両が路側アンテナと無線通信を行うことにより、広告データを受信して、車載表示器に広告を表示する。
【０００３】
【特許文献１】
特開２００２−２６９６０７号公報
【０００４】
【発明が解決しようとする課題】
しかしながら、従来のシステムでは、乗員の興味の有無に関係なく一方的に車載器に広告が送信されてくるため、配信される広告の広告効果が高くならないという問題があった。
【０００５】
本発明は、乗員の関心のある広告の配信を要求する車両用情報取得装置、および、車両から路側システムに対して広告の配信要求を出し、配信要求のあった広告のうち、路側システム内のサーバに格納されている広告を路側システムから車両に送信する路車間通信システムを提供する。
【０００６】
【課題を解決するための手段】
（１）本発明による車両用情報取得装置は、路側システムとの間で通信を行う通信手段と、複数のキーワードと広告主を特定するための広告主特定情報とを対応付けて記憶する記憶手段と、車内の音を集音する集音手段と、集音された音に対して音声認識処理を行う音声認識手段と、音声認識手段により認識された語彙が、キーワードと一致するか否かを判定する判定手段と、認識語彙と一致すると判定されたキーワードに対応する広告主特定情報を記憶手段から抽出する抽出手段とを備える。通信手段は、車両が路側システムの通信エリア内に入ると、抽出された広告主特定情報を少なくとも送信し、広告主特定情報により特定される広告主の広告配信を要求することを特徴とする。
（２）本発明による車両用情報取得装置は、路側システムとの間で通信を行う通信手段と、複数のキーワードを記憶する記憶手段と、車内の音を集音する集音手段と、集音された音に対して音声認識処理を行う音声認識手段と、音声認識手段により認識された語彙が、キーワードと一致するか否かを判定する判定手段とを備える。通信手段は、車両が前記路側システムの通信エリア内に入ると、認識語彙と一致すると判定されたキーワードを特定する情報を少なくとも路側システムに送信し、送信した情報により特定されるキーワードと対応する広告主の広告配信を要求することを特徴とする。
（３）本発明による路車間通信システムは、車両と路側システムとの間で様々な情報のやり取りを行う路車間通信システムであって、車両の乗員が発する言葉に基づいた広告の配信要求を車両から路側システムに送信し、配信要求のあった広告のうち、路側システム内のサーバに格納されている広告を路側システムから車両に送信することを特徴とする。
【０００７】
【発明の効果】
（１）本発明による車両用情報取得装置によれば、集音手段により車内の音を集音し、音声認識手段により認識された語彙と一致するキーワードが記憶手段に記憶されていれば、一致すると判定されたキーワードに対応する広告主特定情報を少なくとも送信して、広告主特定情報により特定される広告主の広告配信を要求するので、乗員が関心をもっている広告の配信を要求することができる。
（２）本発明による車両用情報取得装置によれば、集音手段により車内の音を集音し、音声認識手段により認識された語彙と一致するキーワードが記憶手段に記憶されていれば、一致すると判定されたキーワードを特定する情報を少なくとも送信し、キーワードと対応する広告主の広告配信を要求するので、乗員が関心をもっている広告の配信を要求することができる。
（３）本発明による路車間通信システムによれば、車両の乗員が発する言葉に基づいた情報の配信要求を車両から路側システムに送信し、配信要求のあった広告のうち、路側システム内のサーバに格納されている広告を路側システムから車両に送信するので、乗員が興味を持っている広告を車両に送信することができる。
【０００８】
【発明の実施の形態】
図１は、本発明による車両用情報取得装置を用いて行われる路車間通信のシステム構成を示す一実施の形態の図である。この路車間通信システムでは、複数の路側アンテナ（ａアンテナ〜ｘｘアンテナ）が予め所定の位置に設置されており、車両がいずれかの路側アンテナの通信エリア内に入ると、後述する方法により、両者の間で無線を介して通信が行われて車両に広告が配信される。複数の路側アンテナとセンタサーバ１００とは、高速ネットワークで結ばれており、様々な情報のやり取りが行われる。
【０００９】
ａアンテナ〜ｘｘアンテナが設置されている場所には、無線制御装置１ａ〜１ｘｘと、ローカルサーバ（ａサーバ〜ｘｘサーバ）がそれぞれ設けられており、これらを総称して路側システムと呼ぶ。ローカルサーバａ〜ｘｘは、センタサーバ１００から送信されてくる広告情報などのデータを格納する。ローカルサーバａ〜ｘｘに格納された広告情報などのデータは、車載器からの配信要求に基づいた無線制御装置１ａ〜１ｘｘからの指令により、路側アンテナａ〜ｘｘを介して車載器を搭載した車両に配信される。
【００１０】
図２は、一実施の形態における車両用情報取得装置を搭載した車両２０と路側アンテナとの間で無線を介して路車間通信を行う様子を示した図である。車両２０が路側アンテナの通信エリア内に進入すると、車両用情報取得装置に含まれるアンテナ１１と路側アンテナとの間で路車間通信が行われる。
【００１１】
図３は、本発明による車両用情報取得装置の一実施の形態の構成を示す図である。一実施の形態における車両用情報取得装置は、車載器１０と、アンテナ１１と、音声認識装置１２と、マイク（集音装置）１３と、車内表示器１４と、車内スピーカ１５とを備える。車載器１０は、メモリ１０ａと処理部１０ｂと無線部１０ｃとタイマ１０ｄとを備える。メモリ１０ａには、後述するキーワードと広告主を特定するための広告主コードとが対応付けられているテーブルが格納されており、また、路側アンテナａ〜ｘｘに広告の配信要求を出すための広告要求データファイルが格納されている。処理部１０ｂは、無線部１０ｃ、音声認識装置１２、車内表示器１４および車内スピーカ１５の制御を行うとともに、後述する処理を行う。
【００１２】
音声認識装置１２は、図示しないＣＰＵ、ＲＯＭ、ＲＡＭを備え、マイク１３によって収集された音に基づいて、音声認識処理を行う。具体的には、乗員が発した言葉と車内の雑音とを識別して、乗員が発した言葉を語彙として認識する。車載器１０の処理部１０ｂは、音声認識装置１２による音声認識処理の結果、語彙と認識されたものを取り込んで、メモリ１０ａに格納されているキーワードと一致するか否かを判定する。
【００１３】
図４は、メモリ１０ａに格納されているテーブルの一例を示す図である。このテーブルには、複数のキーワードが含まれるキーワード集合群と、広告主を特定するための広告主コードとが対応付けられている。対応付けは、例えば、「サッカー」や「野球」というキーワードを含むキーワード集合群に対して、スポーツ用品の広告を提供する広告主の広告主コードと対応させる。図４では、例えば、キーワード集合１は、広告主コードＡ，Ｃ，Ｄと対応付けられており、キーワード集合２は、広告主コードＢ，Ｄと対応付けられている。
【００１４】
ここで、例えば、音声認識装置１２により認識された語彙がキーワード集合１に含まれている複数のキーワードのうちの１つと一致する確率が高いと判断されれば、広告主コードＡ，Ｃ，Ｄがメモリ１０ａに格納されている広告要求データファイルに追加される。
【００１５】
図５は、メモリ１０ａに格納されている広告要求データファイルの一例を示す図である。図５では、広告主コードＡ，Ｃ，Ｄが広告要求データファイルに登録されている。この状態で車両２０が、例えば路側アンテナｂの通信エリア内に進入すると、広告主コードＡ，Ｃ，Ｄの広告データの配信を要求する信号が路側アンテナｂに送信される。
【００１６】
広告主は、広告を提供する地区毎に複数の広告データをセンタサーバ１００に登録することができる。従って、センタサーバ１００には、ローカルサーバａ〜ｘｘに送信するための複数の広告データが格納されている。センタサーバ１００は、地区毎に固有の広告データおよび全地域に共通の広告データを定期的にローカルサーバａ〜ｘｘに送信する。
【００１７】
図６は、路側アンテナｂに対応して設けられているローカルサーバｂに格納されている広告データの一例を示す図である。広告データには、広告主を示す広告主コード、登録した広告の種類や内容および登録日を識別するための広告番号、車載器１０に送信するための広告データが含まれる。図６に示すように、ローカルサーバｂに格納されている広告データの広告主がＡ，Ｂ，Ｄの場合に、車載器１０から上述した広告主コードＡ，Ｃ，Ｄの広告データの配信を要求する信号が送られてくると、ローカルサーバｂは、配信要求のあった広告データのうち、登録されている広告主Ａの広告データ“ＤＡ０”および広告主Ｄの広告データ“ＤＤ３”を、路側アンテナｂを介して車載器１０に送信する。
【００１８】
すなわち、本実施の形態における路車間通信システムでは、車載器１０が乗員の発する言葉に基づいて、路側アンテナａ〜ｘｘに対して広告データの配信要求を出し、配信要求のあった広告データのうち、通信が行われた路側アンテナａ〜ｘｘと併設されているローカルサーバａ〜ｘｘに格納されている広告データが車載器１０に対して配信される。
【００１９】
ローカルサーバａ〜ｘｘから路側アンテナａ〜ｘｘを介して車載器１０に配信されてきた広告データは、車内表示器１４にて表示されるとともに、必要に応じて車内スピーカ１５から音声にて出力される。なお、車内表示器１４は、車両２００の乗員が見やすい位置に設けられる。
【００２０】
図７は、車載器１０にて行われる処理手順を示す一実施の形態のフローチャートである。ステップＳ１０から始まる処理は、車載器１０の処理部１０ｂにて行われる。ステップＳ１０では、乗員により車載器１０の電源がオンにされたか否かを判定する。車載器１０の電源がオンにされたと判定するとステップＳ２０に進み、オンにされていないと判定すると電源がオンにされるまでステップＳ１０で待機する。
【００２１】
ステップＳ２０では、タイマ１０ｄを始動させてステップＳ３０に進む。ステップＳ３０では、音声認識装置１２により認識された語彙とメモリ１０ａに格納されているテーブル内のキーワードとを比較して、一致するか否かの処理を行う。認識語彙とキーワードとの比較処理を行うとステップＳ４０に進む。ステップＳ４０では、認識語彙がキーワードと一致したか否かを判定する。ここで、認識語彙がメモリ１０ａに格納されているテーブル内のキーワードと完全に一致しなくても、一致する確率が高いと判断されたものは、一致したものとして取り扱う。認識語彙がキーワードと一致すると判断するとステップＳ５０に進み、一致しないと判定するとステップＳ３０に戻る。
【００２２】
ステップＳ５０では、ステップＳ４０において認識語彙と一致すると判定されたキーワードが含まれるキーワード群と対応する広告主コードを、メモリ１０ａに格納されている広告要求データファイルに登録する。例えば、認識語彙と一致したキーワードが図４に示すテーブルのキーワード集合２に含まれる場合には、広告主コードＢ，Ｄが広告要求データファイルに登録される。認識語彙と一致したキーワードが含まれるキーワード群と対応する広告主コードを広告要求データファイルに登録すると、ステップＳ６０に進む。
【００２３】
ステップＳ６０では、車両２０が路側アンテナａ〜ｘｘの通信エリア内に進入して、路側アンテナａ〜ｘｘとの間で通信が行われたか否かを判定する。無線部１０ｃから通信が行われた旨の信号を受信するとステップＳ７０に進み、通信が行われた旨の信号を受信していない場合にはステップＳ８０に進む。ステップＳ７０では、広告データの配信要求を通信が行われた路側アンテナａ〜ｘｘに向けて送信する。すなわち、車載器１０を識別するためのコード（識別番号）と、メモリ１０ａに格納された広告要求データファイルに登録されている広告主コードとを通信を行った路側アンテナａ〜ｘｘに向けて送信する。広告データの配信要求を送信するとステップＳ１００に進む。
【００２４】
一方、ステップＳ８０では、いずれの路側アンテナａ〜ｘｘとも通信が行われていない場合に行う処理であり、ステップＳ２０でタイマ１０ｄを始動させてから所定時間が経過したか否かを判定する。所定時間が経過していないと判定すると、ステップＳ３０に戻って、音声認識装置１２により認識された語彙とメモリ１０ａに格納されているテーブル内のキーワードとを比較する処理を再度行う。一方、所定時間が経過したと判定するとステップＳ９０に進む。ステップＳ９０では、ステップＳ２０で始動させたタイマ１０ｄをクリアして、ステップＳ１００に進む。ステップＳ１００では、メモリ１０ａに格納されている広告要求データファイルに登録されている広告主コードをクリアする。以後、ステップＳ１０からステップＳ１００までの処理が繰り返し行われる。
【００２５】
一実施の形態における車両用情報取得装置によれば、以下の手順により広告データの配信要求を路側アンテナａ〜ｘｘに送信する。すなわち、車載器１０の電源がオンにされると（ステップＳ１０）、タイマ１０ｄを始動させた後（ステップＳ２０）、音声認識装置１２により認識された語彙とメモリ１０ａに格納されているテーブル内のキーワードとを比較する処理を行う（ステップＳ３０）。認識語彙とキーワードとが一致すると判定されると（ステップＳ４０）、一致したキーワードが含まれるキーワード群と対応する広告主コードをメモリ１０ａに格納されている広告要求データファイルに登録する（ステップＳ５０）。その後、アンテナ１１を介して車載器１０と路側アンテナａ〜ｘｘとの間で通信が行われると（ステップＳ６０）、車載器１０を識別するためのコードと広告要求データファイルに登録されている広告主コードを路側アンテナａ〜ｘｘに向けて送信する。一方、通信が行われていない場合には、タイマ１０ｄを始動させてから所定時間が経過したか否かを判定し（ステップＳ８０）、所定時間が経過したと判定するとタイマをクリア（ステップＳ９０）するとともに、広告要求データファイルに登録されている広告主コードをクリアする（ステップＳ１００）。
【００２６】
上述したように、路側アンテナａ〜ｘｘを介して、車載器１０から広告データの配信要求を受信したローカルサーバａ〜ｘｘは、配信要求のあった広告データのうち、ローカルサーバａ〜ｘｘに格納されている広告データを配信要求を出してきた車載器１０に送信する。送信されてきた広告データをアンテナ１１を介して受信した車載器１０は、車内表示器１４に広告データを表示するとともに、必要に応じて車内スピーカ１５から音声にて出力する。
【００２７】
一実施の形態における車両用情報取得装置によれば、マイク１３を用いて乗員の会話を収集し、音声認識装置１２によって認識された語彙がメモリ１０ａに格納されているキーワードと一致すれば、キーワードに対応する広告主コードを路側アンテナａ〜ｘｘに向けて送信して、広告の配信要求を出すので、車両の乗員が関心を有する広告（情報）の配信要求を出すことができる。
【００２８】
また、車載器１０の電源がオンになってから所定時間が経過する前に、メモリ１０ａに格納されている広告要求データファイルに登録された広告主コードを路側アンテナａ〜ｘｘに向けて送信するので、乗員が現在関心を持っている広告（情報）の配信要求を出すことができる。すなわち、メモリ１０ａに格納されている古いデータに基づいて、車両に広告が配信されるのを防ぐことができる。
【００２９】
−変形例−
上述した一実施の形態における車両用情報取得装置では、車載器１０の処理部１０ｂによって、音声認識装置１２により認識された語彙とメモリ１０ａに格納されているテーブル内のキーワードとを比較し、一致したキーワードが含まれるキーワード群と対応する広告主コードを路側アンテナａ〜ｘｘに送信した。これに対し、変形構成例における車両用情報取得装置では、図４に示すテーブルとは別に、複数のキーワードとキーワードコードとを対応付けたテーブルをメモリ１０ａに格納しておく。車載器１０の処理部１０ｂは、音声認識装置１２により認識された語彙とメモリ１０ａに格納されたテーブル内のキーワードとを比較し、一致するキーワードがあれば、一致したキーワードに対応するキーワードコードを路側アンテナａ〜ｘｘに送信する。
【００３０】
ローカルサーバａ〜ｘｘには、キーワードコードと広告データとを対応付けたテーブルを用意しておく。車載器１０から送信されてきたキーワードコードを受信したローカルサーバａ〜ｘｘは、受信したキーワードコードと上述したテーブルとに基づいて、車載器１０に配信する広告データを抽出し、車載器１０に送信する。
【００３１】
このような構成によれば、ローカルサーバａ〜ｘｘにおいて、どのようなキーワードがどの程度の頻度で車載器１０から送られてくるかを集計することができるので、車両の乗員の関心事項についての情報を収集することができる。従って、車載器１０から頻繁に送られてくるキーワードに特化した広告データをローカルサーバａ〜ｘｘで予め準備しておくことができるので、乗員がさらに関心を引く広告データを配信することができ、効果的な広告配信を行うことができる。
【００３２】
本発明は、上述した一実施の形態に限定されることはない。例えば、本発明による車両用情報取得装置を搭載する車は、一般車両に限らず、トラックやバス等の大型車両でもよい。また、車両から広告配信要求を出す際に、広告主コードまたはキーワードコードを送信するようにしたが、車両の乗員の会話に基づいた広告の配信要求を出すものであれば、他のコード（データ）を送信してもよい。
【００３３】
特許請求の範囲の構成要素と一実施の形態の構成要素との対応関係は次の通りである。すなわち、無線部１０ｃおよびアンテナ１１が通信手段を、メモリ１０ａが記憶手段を、マイク１３が集音手段を、音声認識装置１２が音声認識手段を、車載器１０が判定手段および抽出手段をそれぞれ構成する。なお、本発明の特徴的な機能を損なわない限り、各構成要素は上記構成に限定されるものではない。
【図面の簡単な説明】
【図１】本発明による車両用情報取得装置を用いて路車間通信を行う路車間システム構成を示す一実施の形態の図
【図２】車載器と路側アンテナとの間で路車間通信を行う様子を示す図
【図３】本発明による車両用情報取得装置の一実施の形態における構成を示す図
【図４】キーワード集合群と広告主コードとを対応付けたテーブルの一例を示す図
【図５】車載器のメモリに格納されている広告要求データファイルの一例を示す図
【図６】ローカルサーバに格納されている広告データ等の情報の一例を示す図
【図７】車載器で行われる処理手順を示す一実施の形態におけるフローチャート
【符号の説明】
１ａ〜１ｘｘ…無線制御装置、１０…車載機器、１０ａ…メモリ、１０ｂ…処理部、１０ｃ…無線部、１０ｄ…タイマ、１１…アンテナ、１２…音声認識装置、１３…マイク、１４…車内表示器、１５…車内スピーカ、２０…車両、１００…センタサーバ
【図１】
2004226070.tif 000003
【図２】
2004226070.tif 000004
【図３】
2004226070.tif 000005
【図４】
2004226070.tif 000006
【図５】
2004226070.tif 000007
【図６】
2004226070.tif 000008
【図７】
2004226070.tif 000009